(57)【要約】      （修正有）【課題】繰り返しの使用が可能で、一人作業で設置が可能な丁張装置の提供。【解決手段】一方の端部に水準器３を設け、他方の端部に尖端部を設け、中間部に拡径部６を設けた金属製の棒状部材からなる杭１の、水準器３と拡径部６との間に、略円柱の形状で中心部に貫通孔を設けたハンマー部材５を遊嵌させ、尖端部を建築現場の所要に位置に当接させた状態で、ハンマー部材５を拡径部６に衝突させることで尖端部を打ち込む。打ち込まれた杭１に、着脱可能で、杭１の任意の位置に固定可能な貫板挟持部材を取り付け、貫板挟持部材の間に貫板を配し、丁張を構成する。付属する水準器３を利用して、杭１を鉛直に設置することが可能で、杭１を構成する棒状部材４、水準器３、拡径部６、ハンマー部材５を分離可能に金属で構成する。【選択図】図１
2020183686.tif 000002
【特許請求の範囲】
【請求項１】
一方の端部に設けられてなる水準器と、他方の端部に設けられてなる尖端部と、中間部に設けられてなる拡径部と、略円柱の形状で高さ方向に貫通孔が設けられてなり、前記一方の端部と前記拡径部との間を摺動可能なハンマー部材をする棒状の部材と、前記棒状部材への接合部材が設けられてなり、板状部材を保持可能な挟持部材を有することを特徴することを特徴とする丁張用装置。
【請求項２】
前記水準器は、前記棒状部材の前記一方の端部に着脱可能であることを特徴とする、請求項１に記載の丁張装置。
【請求項３】
前記棒状部材の前記一方の端部側と前記他方の端部の少なくともいずれかいずれかは、前記拡径部に着脱可能であることを特徴とする、請求項１または請求項２に記載の丁張装置。
【発明の詳細な説明】
【技術分野】
【０００１】  本発明は、建築工事の際に、建物の水平方向の高さ、建物の配置、柱や壁の位置などを規定するための、丁張に用いる装置に関するものである。
【背景技術】
【０００２】  丁張は、前記のように、建築工事に際して、現場に設置する立体的な基準となる構造物である。一般的には、尖端部を設けた木材の杭を地面に突き立て、貫板と称される木製の薄板を、水平に配した状態で、杭に接合することにより構築する。【０００３】  丁張は建築工事の進捗に伴い撤去され、用いた木材は廃棄されることになるので、森林資源の保護や環境への負荷という観点で問題となるが、これは、杭を打ち込む作業に、掛矢などを用いるので、杭の頭頂が破損したり、貫板を杭に釘など接合したりすることで、再利用が困難であることが原因の一つになっていると考えられる。【０００４】  また、杭は鉛直方向に固定した状態で打ち込む必要があるので、一人の作業者が杭を保持し、もう一人の作業者が掛矢を操作することになり、昨今の人出不足を考慮すると、一人での作業を可能とすることも、重要な課題である。【０００５】  特許文献１には、材料の使い捨てを避けるために、材料の使い捨てを避けるための技術として、金属製の杭を、基準体の両端に設けられたガイド筒に挿入する構成の丁張器具が開示されている。しかし、この器具は、金属製の杭を地面に打ち込む作業の観点で、前記の課題に必ずしも十分に対応できないという課題がある。【０００６】  また、特許文献２にも、繰り返しの使用が可能な、鋼製の丁張セットが開示されている。しかし、ここに開示されている丁張セットも、前記の課題の観点から、改善の余地があると考えられる。
【先行技術文献】
【特許文献】
【０００７】
【特許文献１】特開２０１５−０９４０８４号公報
【特許文献２】特開２００１−１８２３２６号公報
【発明の概要】
【発明が解決しようとする課題】
【０００８】  このような状況に鑑み、本発明の課題は、繰り返しの使用が可能で、一人作業で設置が可能な丁張装置を提供することにある。
【課題を解決するための手段】
【０００９】  本発明は、前記の課題解決のため、新規構造の杭の開発により、杭の設置作業と貫板の配置作業の効率化を検討した結果なされたものである。【００１０】  本発明は、一方の端部に設けられてなる水準器と、他方の端部に設けられてなる尖端部と、中間部に設けられてなる拡径部と、略円柱の形状で高さ方向に貫通孔が設けられてなり、前記一方の端部と前記拡径部との間を摺動可能なハンマー部材をする棒状の部材と、前記棒状部材への接合部材が設けられてなり、板状部材を保持可能な挟持部材を有することを特徴することを特徴とする丁張用装置である。【００１１】  また、本発明は、前記水準器が、前記棒状部材の前記一方の端部に着脱可能であることを特徴とする、前記の丁張装置である。【００１２】  また本発明は、前記棒状部材の前記一方の端部側と前記他方の端部の少なくともいずれかいずれかが、前記拡径部に着脱可能であることを特徴とする、前記の丁張装置である。
【発明の効果】
【００１３】  本発明の丁張装置における杭は、前記のように、中間に拡径部を備えた棒状の部材であり、棒状の部材に遊嵌し、棒状の部材の長さ方向に摺動可能なハンマー部材を備えているので、尖端形状が設けられている側を、地面の所要の位置に当接させた状態で、ハンマー部材を拡径部に衝突させることで、尖端部を地面に進入させることが可能である。【００１４】  しかも、杭を設置する際の上端には、水準器が設けられているので、杭を鉛直方向に保持しながら、設置作業が行え、従来のように掛矢などを用いる必要がないので、一人での作業が可能となる。さらに、杭を鋼などで構成することで、繰り返しの使用が可能となる。【００１５】  本発明の丁張装置においては、貫板を設置するための挟持部材を、杭の任意の位置に取り付けることが可能であり、従来よりも貫板の設置と着脱が容易に行え、貫板の繰り返しの使用も可能である。【００１６】  また、本発明に用いる杭は、例えば水準器と拡径部に設けた雌ネジに、棒状部材の所要の端部に設けた雄ネジを螺合させた構造とすることで、抗を設置した後に、拡径部と水準器を分離することが可能である。丁張に必要不可欠なのは、杭と貫板であり、水準器、拡径部、ハンマー部材は、杭の設置作業のみで用いられるので、先端形状を備えた棒状部材を所要量準備すればよいことになる。つまり、それぞれの部材の繰り返しの使用が可能であることを勘案すると、本発明に係る丁張装置は、従来よりもコストが大幅に増加することがないと考えられる。
【図面の簡単な説明】
【００１７】
【図１】  本発明の丁張装置に用いられる杭の一例を示す図、図１（ａ）は斜視図、図１（ｂ）は内部の構造の一例を示すための断面図。
【図２】  本発明の丁張装置を用いた丁張の設置状態の一例を示す図。
【発明を実施するための形態】
【００１８】  次に本発明に係る丁張装置の実施の形態について、具体的な図を参照しながら説明すする。
【００１９】  図１は、本発明の丁張装置に用いられる杭１の一例を示す図で、図１（ａ）は斜視図、図１（ｂ）は内部の構造の一例を示すための断面図である。ここに示した例は、棒状部材４が、第一の棒状部材４ａと第二の棒状部材４ｂが、拡径部６を介して接合された構造である。第一の棒状部材４ａの図における上端には、雄ネジが設けられ、水準器３が収納されている水準器収納部材２に設けれられた雌ネジと併せて第一の接合部を構成している。
【００２０】  円柱形状を有する拡径部６の両端面のそれぞれには、雌ネジが設けられ、第一の棒状部材４ａの図における下端に設けられた雄ネジと併せて、第二の接合部７ｂを構成し、第二の棒状部材４ｂの図における上端に設けられた雄ネジと併せて、第三のの接合部７ｃを構成している。
【００２１】  ハンマー部材５は、略円柱形状で、中心軸の部分に形成された貫通孔５ａに、第一の棒状部材４ａが挿通され、第二の棒状部材４ａに沿った状態で、水準器収納部材２と拡径部６との間を摺動可能となっている。杭１をこのような構造とすることで、第二の棒状部材４ｂの先端部を建築現場の所要の位置に当接させ、ハンマー部材５を水準器収納部２の近傍まで持ち上げて落下させると、拡径部６にハンマー部材５が衝突して、尖端部が地面に進入する。その際にハンマー部材５を、作業者が手で、拡径部材に叩きつけることも可能である。
【００２２】  図２は、本発明の丁張装置を用いた丁張の設置状態の一例を示す図である。
【００２３】  前記のように本発明の丁張装置に係る杭１は、棒状部材４、水準器収納部材２、拡径部６が分離する構造とすることも可能なので、杭１の設置作業が終了した後は、図２に示したように、第二の棒状部材４ｂのみを残し、貫板を配置することができる。
【００２４】  図２に示した例では、貫板挟持部材８ａ、８ｂを、パイプ形状の貫板接合部材９ａ、９ｂを介して、第二の棒状部材４ｂに取り付け、貫板１１ａ、１１ｂを配置する。貫板接合部材９ａ、９ｂと貫板挟持部材８ａ、８ｂは、金属製の部材を溶接などで相互に接合固定したものとすることで、繰り返しの使用が可能となる。
【００２５】  貫板接合部材９ａ、９ｂには、適当な位置に雌ネジを設けることで、予め設置された棒状部材４ｂの任意の位置に固定ネジ１０ａ、１０ｂで固定できるので、貫板１１ａ、１１ｂを水平に保持した状態で取り付けることが可能である。ここでは図示しないが、貫板挟持部材８ａ、８ｂに雌ネジを設けることにより、固定ネジを用いて、貫板１１ａ、１１ｂを確実に保持できる。
【００２６】  また、図２示したように、貫板挟持部材８ａは貫板を挟持する部分がストレートであり、直線状に貫板を配するのに用いられ、貫板挟持部材８ｂは、略中央で直角に折り曲げられた形状を有し、貫板を直行させる部位に用いられる。必要により、貫板挟持部材を交叉形状や三叉形状とすることも可能である。
【００２７】  以上に説明したように、本発明によれば、繰り返しの使用が可能で、作業効率が大幅に向上した丁張装置を提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２８】１・・・杭      ２・・・水準器収納部材２      ３・・・水準器
４・・・棒状部材      ４ａ・・・第一の棒状部材
４ｂ・・・第二の棒状部材      ５・・・ハンマー部材
５ａ・・・貫通孔      ６・・・拡径部      ７ａ・・・第一の接合部
７ｂ・・・第二の接合部      ７ｃ・・・第三の接合部
８ａ，８ｂ・・・貫板挟持部材      ９ａ，９ｂ・・・貫板接合部材
１０ａ，１０ｂ・・・固定ネジ      １１ａ，１１ｂ・・・貫板
【図１】
2020183686.tif 000003
【図２】
2020183686.tif 000004
【手続補正書】
【提出日】令和1年7月31日(2019.7.31)
【手続補正１】
【補正対象書類名】特許請求の範囲
【補正対象項目名】請求項１
【補正方法】変更
【補正の内容】
【請求項１】
一方の端部に設けられてなる水準器と、他方の端部に設けられてなる尖端部と、中間部に設けられてなる拡径部と、略円柱の形状で高さ方向に貫通孔が設けられてなり、前記一方の端部と前記拡径部との間を摺動可能なハンマー部材を有する棒状部材と、前記棒状部材への接合部材が設けられてなり、板状部材を保持可能な挟持部材を有することを特徴とする丁張用装置。
【手続補正２】
【補正対象書類名】特許請求の範囲
【補正対象項目名】請求項３
【補正方法】変更
【補正の内容】
【請求項３】
前記棒状部材の前記一方の端部側と前記他方の端部の少なくともいずれかは、前記拡径部に着脱可能であることを特徴とする、請求項１または請求項２に記載の丁張装置。
【手続補正３】
【補正対象書類名】明細書
【補正対象項目名】００１０
【補正方法】変更
【補正の内容】
【００１０】  本発明は、一方の端部に設けられてなる水準器と、他方の端部に設けられてなる尖端部と、中間部に設けられてなる拡径部と、略円柱の形状で高さ方向に貫通孔が設けられてなり、前記一方の端部と前記拡径部との間を摺動可能なハンマー部材を有する棒状部材と、前記棒状部材への接合部材が設けられてなり、板状部材を保持可能な挟持部材を有することを特徴とする丁張用装置である。
【手続補正４】
【補正対象書類名】明細書
【補正対象項目名】００１２
【補正方法】変更
【補正の内容】
【００１２】  また本発明は、前記棒状部材の前記一方の端部側と前記他方の端部の少なくともいずれかが、前記拡径部に着脱可能であることを特徴とする、前記の丁張装置である。